(57)【要約】【課題】構面内に開口部を有する柱梁構造体に適用可能としながらも、施設を容易にする。【解決手段】第１隅部７ａ（７ｃ）と第２隅部７ｂ（７ｄ）との間に索状の第１ブレース材１０をわたらせた状態で、その第１ブレース材１０を第１隅部７ａ（７ｃ）と第２隅部７ｂ（７ｄ）とにおいて柱梁構造体２に連結し、第１ブレース材１０の中間部１２と他の１つの隅部である第３隅部７ｃ（７ａ）との間に第２ブレース材１１をわたらせた状態で、その第２ブレース材１１を第１ブレース材１０の中間部１２に連結するとともに第３隅部７ｃ（７ａ）において柱梁構造体２に連結し、第１ブレース材１０における第２ブレース材１１の連結点１５を引き合い作用点Ｘとする第１ブレース材１０と第２ブレース材１１とによる相互の引き合いにより第１ブレース材１０が引き合い作用点Ｘで屈折する状態に、第１及び第２ブレース材１０，１１を緊張させる。【選択図】図１
2015086554.tif 000002
【特許請求の範囲】
【請求項１】
柱梁構造体に対して施設するブレース構造であって、
前記柱梁構造体の矩形構面における４つの隅部のうち１つの対角線方向において対向する第１隅部と第２隅部との間に索状の第１ブレース材をわたらせた状態で、その第１ブレース材を前記第１隅部と前記第２隅部とにおいて前記柱梁構造体に連結し、
前記第１ブレース材の長手方向における中間部と前記矩形構面における他の１つの隅部である第３隅部との間に索状または棒状の第２ブレース材をわたらせた状態で、その第２ブレース材を前記第１ブレース材の中間部に連結するとともに前記第３隅部において前記柱梁構造体に連結し、
前記第１ブレース材の長手方向中間部における前記第２ブレース材の連結点を引き合い作用点とする前記第１ブレース材と前記第２ブレース材とによる相互の引き合いにより前記第１ブレース材が前記引き合い作用点で屈折する状態に、前記第１及び第２ブレース材を緊張させてあるブレース構造。
【請求項２】
前記第１ブレース材又は前記第２ブレース材に張力を付与して前記第１及び第２ブレース材を緊張状態に保つ緊張手段を装備してある請求項１記載のブレース構造。
【請求項３】
前記第１ブレース材の長手方向中間部に対する前記第２ブレース材の連結点である前記引き合い作用点が前記第１及び第２ブレース材の緊張化に伴い前記第１ブレース材の長手方向に自由移動する状態にして、前記第２ブレース材を前記第１ブレース材の長手方向中間部に連結してある請求項１又は請求項２記載のブレース構造。
【請求項４】
前記第１及び第２ブレース材を対応する前記隅部において前記柱梁構造体の各面部分のうち前記第１及び第２ブレース材の張設方向に沿う姿勢の面部分に連結してある請求項１〜３のいずれか１項に記載のブレース構造。
【請求項５】
前記第１及び第２ブレース材を対応する前記隅部において前記柱梁構造体の各面部分のうち前記第１及び第２ブレース材の張設方向に対して交差する姿勢で前記柱梁構造体の内方側に向く面部分に連結してある請求項１〜３のいずれか１項に記載のブレース構造。
【請求項６】
前記第１又は第２ブレース材を前記柱梁構造体に連結する連結手段として、被係止具に対する係止具の引っ掛けにより連結を行う引掛式の連結手段を設けてある請求項１〜５のいずれか１項に記載のブレース構造。
【請求項７】
前記第１ブレース材が繊維材製である請求項１〜６のいずれか１項に記載のブレース構造。
【発明の詳細な説明】
【技術分野】
【０００１】
本発明は、柱梁構造体に対して施設するブレース構造に関する。
【背景技術】
【０００２】
耐震補強に用いられるブレース構造として、一般に、２本のブレース材のうち１本のブレース材を柱梁構造体の矩形構面において一方の対角線方向で対向する隅部の間に張設し、もう１本のブレース材を他方の対角線方向で対抗する隅部の間に張設するＸ型のブレース構造がとられているが、このようなＸ型のブレース構造は、構面内にドアや窓などの開口部を有する柱梁構造体に対しては、多くの場合ブレース材が構面内の開口部に干渉することとなって適用できない問題があった。
【０００３】
そこで、構面内に開口部を有する柱梁構造体に適用可能なブレース構造として、従来、図５に示すように、柱梁構造体２の矩形構面における４つの隅部７のうちの３つの隅部夫々からブレース材を引き出すのに対し、それら３本のブレース材が有効に応力分担し、かつ、各ブレース材が構面内の開口部６に干渉しないように、ブレース材どうしが成すブレース間角度を設計上で予め算定した角度に規定した状態で、それら３本のブレース材夫々の端部を連結するブレース連結具Ａ（交差結合材）を準備し、このブレース連結具Ａを介して３本のブレース材どうしを連結することにより、構面内の開口部６に対するブレース材の干渉を回避した状態で柱梁構造体２に対して施設するブレース構造１が提案されている（特許文献１参照）。
【先行技術文献】
【特許文献】
【０００４】
【特許文献１】特開平１１−１４８２４５号公報
【発明の概要】
【発明が解決しようとする課題】
【０００５】
しかし、上記した従来の提案ブレース構造では、ブレース構造１の施設において管理及び取り扱いをする部品点数が多く、また、柱梁構造体２と各ブレース材の連結のほか、３本のブレース材どうしを連結するのに、それら３本のブレース材を１本ずつブレース連結具Ａにおける所定の対応連結部に連結操作しなければならず、このため、ブレース構造１の施設が煩雑で手間と時間を要する問題があった。
【０００６】
また、３本のブレース材が有効に応力分担し、かつ、各ブレース材が構面内の開口部６に干渉しないブレース間角度は、柱梁構造体２の縦横比や柱梁構造体２の矩形構面における開口部６の専有位置により変化するため、施設対象の柱梁構造体ごとに適正なブレース間角度を算定して専用のブレース連結具Ａを製作しなければならず、このため、製作に時間を要するとともに製作コストが高くなる問題もあった。
【０００７】
この実情に鑑み、本発明の主たる課題は、構面内に開口部を有する柱梁構造体に適用可能としながらも、上記の如き問題を効果的に解消することができるブレース構造を提供する点にある。
【課題を解決するための手段】
【０００８】
本発明の第１特徴構成はブレース構造に係り、その特徴は、
柱梁構造体に対して施設するブレース構造であって、
前記柱梁構造体の矩形構面における４つの隅部のうち１つの対角線方向において対向する第１隅部と第２隅部との間に索状の第１ブレース材をわたらせた状態で、その第１ブレース材を前記第１隅部と前記第２隅部とにおいて前記柱梁構造体に連結し、
前記第１ブレース材の長手方向における中間部と前記矩形構面における他の１つの隅部である第３隅部との間に索状または棒状の第２ブレース材をわたらせた状態で、その第２ブレース材を前記第１ブレース材の中間部に連結するとともに前記第３隅部において前記柱梁構造体に連結し、
前記第１ブレース材の長手方向中間部における前記第２ブレース材の連結点を引き合い作用点とする前記第１ブレース材と前記第２ブレース材とによる相互の引き合いにより前記第１ブレース材が前記引き合い作用点で屈折する状態に、前記第１及び第２ブレース材を緊張させてある点にある。
【０００９】
つまり、上記構成によれば、第１ブレース材の中間部と第２ブレース材との連結点を第１ブレース材の長手方向で適当位置に選んだ状態において、その連結点（引き合い作用点）で第１ブレース材を屈折させた状態でそれら第１及び第２ブレース材を緊張させるから、それらブレース材の緊張により柱梁構造体を十分に補強しながらも、第１ブレース材によって区画される矩形構面における２つの領域のうち第２ブレース材が配置されてない側の領域の面積を第１ブレース材の屈折がない場合よりも広く確保することができて、その領域内に窓やドアなどの開口部を位置させるようにすることで、矩形構面における窓やドアなどの開口部に対する第１及び第２ブレース材の干渉を効果的に回避することができ、これにより、構面内に開口部を有する柱梁構造体にも適用可能なブレース構造とすることができる。
【００１０】
そして、上記構成では、ブレース材が第１ブレース材と第２ブレース材との２本で済むことから、先述した図５に示す従来の提案ブレース構造に比べ、ブレース構造の施設において管理及び取り扱いを要する部品点数を削減することができ、また、ブレース材と柱梁構造体との連結やブレース材どうしの連結に要する連結操作数も削減することができ、これにより、ブレース構造の施設に要する手間と時間を効果的に軽減することができて、その施設を容易にすることができる。
【００１１】
本発明の第２特徴構成は、第１特徴構成の実施に好適な実施形態を特定するものであり、その特徴は、
前記第１ブレース材又は前記第２ブレース材に張力を付与して前記第１及び第２ブレース材を緊張状態に保つ緊張手段を装備してある点にある。
【００１２】
つまり、上記構成によれば、ブレース材と柱梁構造体との連結及びブレース材どうしの連結を行った後に、上記緊張手段をもって第１及び第２ブレース材を容易に緊張させることができ、また、その後も上記緊張手段をもって第１及び第２ブレース材の緊張状態を確実かつ安定的に保つことができ、これにより、第１及び第２ブレース材を緊張操作しながら第１及び第２ブレース材を柱梁構造体に連結するのに比べ、ブレース構造の施設を一層容易にすることができ、また、耐震補強機能も一層高めることができる。
【００１３】
なお、この構成の実施においては、緊張手段を第１ブレース材と第２ブレース材とのいずれか一方のみに装備する形態、あるいは、第１及び第２ブレース材の両方に装備する形態のいずれも採用してもよい。
【００１４】
本発明の第３特徴構成は、第１又は第２特徴構成の実施に好適な実施形態を特定するものであり、その特徴は、
前記第１ブレース材の長手方向中間部に対する前記第２ブレース材の連結点である前記引き合い作用点が前記第１及び第２ブレース材の緊張化に伴い前記第１ブレース材の長手方向に自由移動する状態にして、前記第２ブレース材を前記第１ブレース材の長手方向中間部に連結してある点にある。
【００１５】
つまり、上記構成によれば、第１ブレース材の屈折を伴う第１及び第２ブレース材の緊張化に伴い、上記引き合い点を第１ブレース材の長手方向において最も安定する位置（即ち、第１及び第２ブレース材が有効に応力分担する適正なブレース間角度を成す位置）へ自ずと移動させることができ、これにより、先述した 従来の提案ブレース構造の如く施設対象の柱梁構造体ごとに適正なブレース間角度を予め算定して専用のブレース連結具を製作するといったことを不要にすることができる。
【００１６】
本発明の第４特徴構成は、第１〜第３特徴構成のいずれかの実施に好適な実施形態を特定するものであり、その特徴は、
前記第１及び第２ブレース材を対応する前記隅部において前記柱梁構造体の各面部分のうち前記第１及び第２ブレース材の張設方向に沿う姿勢の面部分に連結してある点にある。
【００１７】
つまり、上記構成によれば、柱梁構造体の構面内において壁や他の部材などが存在する場合でも、これら壁や他の部材を支障とすることなく、ブレース構造を施設することができる。
【００１８】
本発明の第５特徴構成は、第１〜第３特徴構成のいずれかの実施に好適な実施形態を特定するものであり、その特徴は、
前記第１及び第２ブレース材を対応する前記隅部において前記柱梁構造体の各面部分のうち前記第１及び第２ブレース材の張設方向に対して交差する姿勢で前記柱梁構造体の内方側に向く面部分に連結してある点にある。
【００１９】
つまり、上記構成によれば、柱梁構造体の構面内の空間をブレース構造の施設に有効利用する形態となることから、ブレース構造が柱梁構造体の外側に張り出すなどのことを回避することができて、スペース的に有利にすることができる。
【００２０】
本発明の第６特徴構成は、第１〜第５特徴構成のいずれかの実施に好適な実施形態を特定するものであり、その特徴は、
前記第１又は第２ブレース材を前記柱梁構造体に連結する連結手段として、被係止具に対する係止具の引っ掛けにより連結を行う引掛式の連結手段を設けてある点にある。
【００２１】
つまり、上記構成によれば、第１又は第２ブレース材の柱梁構造体に対する連結を単なる引っ掛け操作だけで済ませることができ、これによりブレース構造の施設を一層容易にすることができる。
【００２２】
なお、この構成の実施においては、第１ブレース材を柱梁構造体に連結する連結手段、及び、第２ブレース材を柱梁構造体に連結する連結手段の両方を引掛式連結手段にしてもよい。
【００２３】
本発明の第７特徴構成は、第１〜第６特徴構成のいずれかの実施に好適な実施形態を特定するものであり、その特徴は、
前記第１ブレース材が繊維材製である点にある。
【００２４】
つまり、上記構成によれば、長尺となる第１ブレース材を軽量で柔軟性のあるものにして、その取り扱いを容易にすることができ、これにより、ブレース構造の施設を一層容易にすることができる。
【００２５】
なお、この構成を実施するのに、第２ブレース材は繊維材製あるいは剛性材製のいずれにしてもよい。
【図面の簡単な説明】
【００２６】
【図１】柱梁構造体に施設したブレース構造の正面図
【図２】第２ブレース材の柱梁構造体、及び、第１ブレース材に対する連結部の拡大図
【図３】別実施形態を示すブレース構造の正面図
【図４】別実施形態を示すブレース構造の正面図
【図５】従来のブレース構造の正面図
【発明を実施するための形態】
【００２７】
図１は開口部を構面内に有する柱梁構造体に施設した複合ブレース構造１を示し、２は柱３と梁４からなる柱梁構造体であり、その矩形構面５内には窓やドアなどの開口部６が形成されている。
【００２８】
図２にも示すように、柱梁構造体２の矩形構面５における４つの隅部７の夫々には、それら隅部７における柱梁構造体２の各面部分のうちブレース材張設方向に対して交差する姿勢で柱梁構造体２の内方側に向く面部分９に、隅部用連結手段８を構成する被係止具８ａを取り付けてある。
【００２９】
複合ブレース構造１は、互いに交差する状態で左右に対称的に配置した左右一方側の単位ブレース構造１ａと左右他方側の単位ブレース構造１ｂとからなり、これら単位ブレース構造１ａ、１ｂは、いずれもポリエステルロープ、ベルトスリング、ラウンドスリングなどの繊維材製の索状第１ブレース材１０と同じく繊維材製の索状第２ブレース材１１とで構成してある。
【００３０】
各単位ブレース構造１ａ、１ｂにおいて、第１ブレース材１０の両端及び第２ブレース材１１の一端には、上記被係止具８ａに対して引っ掛けにより連結する係止具８ｂを取り付け、また、第２ブレース材１１の他端には、第１ブレース材１０の長手方向における中間部１２に対して連結するブレース用連結具１３を取り付けてあり、さらに、第２ブレース材１１の長手方向中間部には、第２ブレース材１１の長さを調節するターンバックルなどの緊張手段１４を装備してある。
【００３１】
即ち、上記被係止具８ａ及び係止具８ｂは、第１ブレース材１０の両端及び第２ブレース材１１の一端の夫々を矩形構面５の各隅部７において柱梁構造体２に連結する隅部用連結手段８を構成する。
【００３２】
また、ブレース用連結具１３は、例えば、図２に示す如く第１ブレース材１０の長手方向中間部１２に対して引っ掛けにより連結するフック構造にするなど、第１ブレース材１０に対する第２ブレース材１１の連結点１５（後述する引き合い作用点Ｘ）が第１ブレース材１０の長手方向に滑り移動することを許す状態で第２ブレース材１１の他端を第１ブレース材１０の長手方向中間部１２に対して連結する構造にしてある。
【００３３】
次に、複合ブレース構造１の施設工法について説明すると、左右一方側の単位ブレース構造１ａについては、柱梁構造体２の矩形構面５における４つの隅部７のうち図１において右上に位置する隅部７ａと左下に位置する隅部７ｂとの間（即ち、１つの対角線方向において対向する隅部どうしの間）に、開口部６の位置に応じて長さ設定する第１ブレース材１０をわたらせた状態で、それら隅部７ａ、７ｂにおいて第１ブレース材１０の各端を図２に示す如く柱梁構造体２側の被係止具８ａに対する係止具８ｂの引っ掛け操作により柱梁構造体２に連結する。
【００３４】
これに続き、第１ブレース材１０の長手方向中間部１２と矩形構面５における４つの隅部７のうち図１において左上に位置する隅部７ｃ（即ち、他方の対角線方向における１つの隅部）との間に第２ブレース材１１をわたらせた状態で、その隅部７ｃにおいて第２ブレース材１１の一端を柱梁構造体２側の被係止具８ａに対する係止具８ｂの引っ掛け操作により柱梁構造体２に連結するとともに、図２に示す如く第２ブレース材１１の他端をブレース用連結具１３により第１ブレース材長手方向への滑り移動が自在な状態で第１ブレース材１０の長手方向中間部１２に連結する。
【００３５】
そして、この連結操作の後、第２ブレース材１１に装備した緊張手段１４により第２ブレース材１１を短縮側に長さ調節することで、第２ブレース材１１に張力を付与するとともに、それに伴い第１ブレース材１０に対する第２ブレース材１１の連結点１５を介して第１ブレース材１０にも張力付与し、これにより、その連結点１５を引き合い作用点Ｘとする第１ブレース材１０と第２ブレース材１１とによる相互の引き合いをもって第１ブレース材１０をその引き合い作用点Ｘで屈折させる状態に第１及び第２ブレース材１０，１１を緊張させ、その状態で緊張手段１４による第２ブレース材１１の長さ固定により第１及び第２ブレース材１０，１１の緊張状態を保持する。
【００３６】
また、前述の如く第１ブレース材１０に対する第２ブレース材１１の連結点１５をブレース用連結具１３による連結により第１ブレース材１１の長手方向に滑り移動自在にしてあることで、上記の如き第１ブレース材１０の屈折を伴う第１及び第２ブレース材１０，１１の緊張化に伴い、引き合い作用点Ｘとしての連結点１５を第１ブレース材１１の長手方向においての最も安定である位置（即ち、第１及び第２ブレース材１０，１１が有効に応力分担する適正なブレース間角度を成す位置）へ自ずと移動させ、これにより、柱梁構造体２の耐震補強において第１及び第２ブレース材１０，１１が有効に応力分担する状態を容易かつ確実に得る。
【００３７】
そしてまた、上記の如く第１ブレース材１０を屈折状態で緊張させることで、第１ブレース材１０によって区画される矩形構面５における２つの領域のうち第２ブレース材１１が配置されてない側の領域の面積を大きく確保して、その領域内に開口部６を位置させるようにし、これにより、左右一方側の単位ブレース構造１ａにおける第１及び第２ブレース材１０，１１が矩形構面５内の開口部６に対して干渉する状態となるのを第１ブレース材１０の長さ設定だけで回避する。
【００３８】
なお、この左右一方側の単位ブレース構造１ａについては、矩形構面５における４つの隅部７のうち、第１ブレース材１０の両端を柱梁構造体２に連結する上記右上隅部７ａ及び左下隅部７ｂが、既述した本発明の第１特徴構成でいう第１隅部及び第２隅部に該当し、第２ブレース材１１の一端を柱梁構造体２に連結する上記左上隅部７ｃが、本発明の第１特徴構成における第３隅部に該当する。
【００３９】
また、左右他方側の単位ブレース構造１ｂについては、柱梁構造体２の矩形構面５における４つの隅部７のうち上記左上隅部７ｃと図１において右下に位置する隅部７ｄとの間（即ち、上記他方の対角線方向において対向する隅部どうしの間）に、開口部６の位置に応じて長さ設定する第１ブレース材１０をわたらせた状態で、それら隅部７ｃ、７ｄにおいて第１ブレース材１０の各端を柱梁構造体２側の被係止具８ａに対する係止具８ｂの引っ掛け操作により柱梁構造体２に連結する。
【００４０】
そして、これに続き、第１ブレース材１０の長手方向中間部１２と矩形構面５における４つの隅部７のうち上記右上隅部７ａ（即ち、上記一方の対角線方向における１つの隅部）との間に第２ブレース材１１をわたらせた状態で、左右一方側の単位ブレース構造１ａと同様に、その隅部７ａにおいて第２ブレース材１１の一端を柱梁構造体２側の被係止具８ａに対する係止具８ｂの引っ掛け操作により柱梁構造体２に連結するとともに、第２ブレース材１１の他端をブレース用連結具１３により第１ブレース材長手方向への滑り移動が自在な状態で第１ブレース材１０の長手方向中間部１２に連結する。
【００４１】
そして、この連結操作の後、左右一方側の単位ブレース構造１ａと同様に、第２ブレース材１１に装備した緊張手段１４により第２ブレース材１１を短縮側に長さ調節することで、第１ブレース材を第１ブレース材１０に対する第２ブレース材１１の連結点１５で屈折させる状態に第１及び第２ブレース材１０，１１を緊張させ、その状態で緊張手段１４による第２ブレース材１１の長さ固定により第１及び第２ブレース材１０，１１の緊張状態を保持し、また、第１ブレース材１０の屈折を伴う第１及び第２ブレース材１０，１１の緊張化に伴い、引き合い作用点Ｘとしての連結点１５を第１及び第２ブレース材１０，１１が有効に応力分担する適正なブレース間角度を成す位置へ自ずと移動させ、左右他方側の単位ブレース構造１ｂについても、柱梁構造体２の耐震補強において第１及び第２ブレース材１０，１１が有効に応力分担する状態を容易かつ確実に得る。
【００４２】
そしてまた、左右他方側の単位ブレース構造１ｂについても、上記の如く第１ブレース材１０を屈折状態で緊張させることで、第１ブレース材１０によって区画される矩形構面５における２つの領域のうち第２ブレース材１１が配置されてない側の領域の面積を大きく確保して、その領域内に開口部６を位置させるようにし、左右他方側の単位ブレース構造１ｂにおける第１及び第２ブレース材１０，１１が矩形構面５内の開口部６に対して干渉する状態となるのを第１ブレース材１０の長さ設定だけで回避する。
【００４３】
なお、この左右他方側の単位ブレース構造１ｂについては、矩形構面５における４つの隅部７のうち、第１ブレース材１０の両端を柱梁構造体２に連結する上記左上隅部７ｃ及び右下隅部７ｄが、既述した本発明の第１特徴構成でいう第１隅部及び第２隅部に該当し、第２ブレース材１１の一端を柱梁構造体２に連結する上記右上隅部７ａが、本発明の第１特徴構成における第３隅部に該当する。
【００４４】
以上のように、複合ブレース構造１を柱梁構造体２に施設するが、一方側及び他方側ブレース構造１ａ、１ｂを矩形構面５において左右に対称的に配置することにより、図１に示す矢印方向の力Ｆについては左右一方側の単位ブレース構造１ａが負担し、また、力Ｆとは反対方向の力（図示しない）については左右他方側の単位ブレース構造１ｂが負担するようにし、これにより、両方向の力に対して柱梁構造体２を補強してある。
【００４５】
さらに、各単位ブレース構造１ａ、１ｂそれぞれについて第１ブレース材１０を屈折状態で緊張させてあるため、各単位ブレース構造１ａ、１ｂにおける第１及び第２ブレース材１０，１１が矩形構面５内の開口部６に対して干渉する状態となるのを回避して、これにより、複合ブレース構造１を矩形構面５内に開口部６を有する柱梁構造体２にも適用可能としてある。
【００４６】
なお、柱梁構造体２への複合ブレース構造１の施設後においては、各単位ブレース構造１ａ、１ｂそれぞれにおける第１ブレース材１０に対して連結した第２ブレース材１１の他端は、そのまま第１ブレース材長手方向への滑り移動が自在な状態としてもよく、また、適当な緊縛手段などにより第１ブレース材に対し固定して第１ブレース材長手方向への滑り移動ができないようにしてもよい。
【００４７】
〔別実施形態〕
第１ブレース材１０の両端及び第２ブレース材１１の一端の夫々を矩形構面５の各隅部７において柱梁構造体２に連結する隅部用連結手段８は、本実施形態で示すような引掛式連結手段に限らず、どのような連結手段であってもよい。
【００４８】
本実施形態では、第２ブレース材１１に緊張手段１４を装備したが、これに限らず、緊張手段１４は第１ブレース材１０に装備してもよく、また、第１及び第２ブレース材１０、１１のいずれにも装備してもよい。
【００４９】
また、緊張手段１４をいずれのブレース材にも装備せず、例えば、第２ブレース材１１の他端をブレース用連結具１３により第１ブレース材１０の長手方向中間部１２に連結するとともに、第１ブレース材１０の両端及び第２ブレース材１１の一端のうちのいずれか１の端部を除いて矩形構面５における隅部７において各端を柱梁構造体２に連結した状態で、隅部７に対し連結していない端部を引っ張るなどして第１ブレース材を第１ブレース材１０に対する第２ブレース材１１の連結点１５で屈折させる状態に第１及び第２ブレース材１０，１１を緊張させ、その緊張状態を保たせながら当該端部を隅部７において柱梁構造体に連結させるなど、予め第１及び第２ブレース材１０，１１を緊張させた状態で第１及び第２ブレース材１０，１１を柱梁構造体２に連結してもよい。
【００５０】
本実施形態では、第２ブレース材１１の他端に設けたブレース用連結具１３を用いてその連結点１５が第１ブレース材１０の長手方向に滑り移動することを許す状態で第１ブレース材１０に対して第２ブレース材１１を連結したが、これに限定されず、ブレース用連結具１３を用いることなく索状の第２ブレース材１１の他端をその他端がリング状となるように結び、そのリング状の領域に第１ブレース１０を通すことによりその連結点１５が第１ブレース材１０の長手方向に滑り移動することを許す状態で第１ブレース材１０に対して第２ブレース材１１を連結してもよい。
【００５１】
本実施形態では、第１ブレース材１０に対する第２ブレース材１１の連結形態は、ブレース用連結具１３によりその連結点１５が第１ブレース材１０の長手方向に滑り移動することを許す状態で連結するものを示したが、これに限らず、接着剤などにより第２ブレース材１１の他端を第１ブレース材１０の中間部１２に接着する形態や、第２ブレース材１１の他端を第１ブレース材１０に対して結びつけて固定する形態など、その連結点１５を第１ブレース材１１の長手方向に滑り移動できない状態で連結する形態としてもよい。
【００５２】
本実施形態では、ブレース用連結具１３と緊張手段１４とを別部材としたが、これに限定されず、第２ブレース材の長さを調節する機能を有するブレース用連結具１３を用い、ブレース用連結具１３が緊張手段１４も兼ねるようにしてもよい。
【００５３】
本実施形態では、隅部用連結手段８を構成する被係止具８ａは、柱梁構造体２の矩形構面５における隅部７において柱梁構造体２の各面部分のうちブレース材張設方向に対して交差する姿勢で柱梁構造体２の内方側に向く面部分９に取り付けたが、図３に示すように、柱梁構造体２の矩形構面５における隅部７において柱梁構造体２の各面部分のうちブレース材張設方向に沿う姿勢の面部分１６に取り付けてもよい。
【００５４】
本実施形態では、第１ブレース材が繊維材製であるものを示したが、索状であればどのような素材のものであってもよい。
【００５５】
本実施形態では、第２ブレース材が索状で且つ繊維材製であるものを示したが、これに限定されず、棒状の鋼材製など索状又は棒状であればどのような素材のものであってもよい。
【００５６】
各単位ブレース構造１ａ、１ｂにおいて、第１ブレース材１０の両端及び第２ブレース材１１の一端を隅部７ａ〜７ｄのうちいずれに連結させるかは本実施形態で示したものに限らず、矩形構面５内の開口部の形状や位置に応じて適宜選択すればよい。
【００５７】
また、本実施形態では各単位ブレース構造１ａ、１ｂが、図１に示すように左右対称に位置するものを示したが、矩形構面５内の開口部の形状や位置に応じて上下対称に位置させてもよい。
【００５８】
本実施形態では、ブレース構造１の施設において各単位ブレース構造１ａ、１ｂ合わせて４本のブレース材を用いたが、図４に示すように、一方側ブレース材１７と他方側ブレース材１８の２本のブレース材を用いて、一方側ブレース材１７を右上隅部７ａと左下隅部７ｂにわたらせるとともにその余剰部分を右上隅部７ａにおいて折り返した状態とすることで、一方側ブレース材１７のうち右上隅部７ａと左下隅部７ｂとの間にわたらせてある部分を左右一方側の単位ブレース構造１ａにおける第１ブレース材１０として利用するとともに、右上隅部７ａにおいて折り返した余剰部分を左右他方側の単位ブレース構造１ｂにおける第２ブレース材１１として利用する構成にし、また、他方側ブレース材１８を左上隅部７ｃと右下隅部７ｄにわたらせるとともにその余剰部分を左上隅部７ｃにおいて折り返した状態とし、他方側ブレース材１８のうち左上隅部７ｃと右上隅部７ｄとの間にわたらせてある部分を左右他方側の単位ブレース構造１ｂにおける第１ブレース材１０として利用するとともに、左上隅部７ｃにおいて折り返した余剰部分を左右一方側の単位ブレース構造１ａにおける第２ブレース材１１として利用する構成にし、これら一方側ブレース材１７と他方側ブレース材１８の２本のブレース材により、左右一方側及び他方側の単位ブレース構造１ａ、１ｂからなる複合ブレース構造１の施設を行ってもよい。
【００５９】
本実施形態では、柱３と梁４からなる柱梁構造体２を示したが、これに限定されず、本実施形態における柱梁構造体２の下側の梁４は建物の土台部分であってもよい。
【産業上の利用可能性】
【００６０】
本発明のブレース構造は、各種分野において種々の用途に用いる柱梁構造体に対して利用できる。
【符号の説明】
【００６１】
２            柱梁構造体
１            ブレース構造
５            矩形構面
７            隅部
７ａ、７ｃ    第１隅部
７ｂ、７ｄ    第２隅部
１０          第１ブレース材
１２          第１ブレース材の中間部
７ｃ、７ａ    第３隅部
１１          第２ブレース材
１５          連結点
Ｘ            引き合い作用点
１４          緊張手段
１６          張設方向に沿う姿勢の面部分
９            内方側に向く面部分
８ａ          被引っ掛け部
８ｂ          引っ掛け部
【図１】
2015086554.tif 000003
【図２】
2015086554.tif 000004
【図３】
2015086554.tif 000005
【図４】
2015086554.tif 000006
【図５】
2015086554.tif 000007